(57)【要約】      （修正有）【課題】部品点数を削減しコストを低減するとともに、任意にたばこを吸えないことによる精神的ストレスを解消しつつ節煙または禁煙を助成する。【解決手段】断面コの字形の一端側開口を側壁で閉蓋した本体部１と、側壁にヒンジ部を介して連結し断面コの字形の主開口部２０を閉蓋する第一の蓋体３と、本体部１にヒンジ部を介して連結し断面コの字形の他端側の開口３０を閉蓋する第二の蓋体４とから成り、本体部１と第一の蓋体３と第二の蓋体４とを樹脂部材で連繋するごとく一体に射出成型する。第一の蓋体３は裏面側(収納ケース内面側)に液晶ディスプレイと制御回路基板とを取り付ける。【選択図】図３
0003106310.tif 000002
【実用新案登録請求の範囲】
【請求項１】
断面コの字形の一端側開口を側壁で閉蓋した本体部と、前記側壁にヒンジ連結し前記断面コの字形の主開口部を閉蓋する第一の蓋体と、前記本体部にヒンジ連結し前記断面コの字形の他端側の開口を閉蓋する第二の蓋体とからなり、前記本体部と第一の蓋体と第二の蓋体とを一体射出成型してなることを特徴とする収納ケース。
【請求項２】
第一の蓋体にディスプレイ手段と制御回路基板とを取り付けてなることを特徴とする請求項１記載の収納ケース。
【請求項３】
喫煙予定本数と喫煙実際本数との差値を自動的に算出し、前記差値に応じてディスプレイ内容を変化させるようにしたことを特徴とする請求項１記載の収納ケース。
【請求項４】
第二の蓋体を開けた回数に応じてディスプレイ内容またはディスプレイ位置の少なくとも一方を変化させるようにしたことを特徴とする請求項１記載の収納ケース。
【考案の詳細な説明】
【技術分野】
【０００１】
本考案は、喫煙者の節煙または禁煙を補助するたばこ収納ケースに関する。
【背景技術】
【０００２】
従来のたばこ収納ケースは喫煙者が予め設定した時間まで蓋を強制的に閉蓋し、喫煙を阻止するものであった。
【特許文献１】特開平０４−２７３３３２号公報
【特許文献２】特開平０９−２１６９１６号公報
【特許文献３】特開２００１−０５１７６１号公報
【考案の開示】
【考案が解決しようとする課題】
【０００３】
しかし従来のたばこ収納ケースは喫煙者が設定した時間まで蓋が開かず、任意にたばこを吸えないことによる精神的ストレスが強く節煙または禁煙が長続きしなかった。また、たばこ収納ケースの構成部品数が多くコストアップとなっていた。
【０００４】
本考案は任意の時間にたばこを吸えるようにすることにより精神的ストレスを軽減すること、節煙等の自己管理の努力結果に基づき種々のコメントを表示することを目的とする。また、部品点数を少なくし収納ケースのコスト低減を図ることを目的とする。
【課題を解決するための手段】
【０００５】
本考案における第１の観点にかかる収納ケースは、断面コの字形の一端側開口を側壁で閉蓋した本体部と、前記側壁にヒンジ連結し前記断面コの字形の主開口部を閉蓋する第一の蓋体と、前記本体部にヒンジ連結し前記断面コの字形の他端側の開口を閉蓋する第二の蓋体とからなり、前記本体部と第一の蓋体と第二の蓋体とを一体射出成型してなることを特徴としたもので、部品点数を少なくしコスト低減を図れる。(請求項１)
さらに第１の観点にかかる収納ケースは、第一の蓋体に液晶またはＥＬ(エレクトロルミネッセンス)等のディスプレイ手段と制御回路基板とを取り付けてなることを特徴としたもので、これにより第二の蓋体を開けた回数を自動的にカウントし、設定したコメントを表示できる。(請求項２)
さらに第１の観点にかかる収納ケースは、予め設定した喫煙予定本数と喫煙実際本数との差値を自動的に算出し、前記差値に応じてコメントを表示するようにしたことを特徴としたもので、これにより節煙等の自己管理努力を助成する。また、任意の時間にたばこを吸えるようにすることにより精神的ストレスを軽減できる。(請求項３)
【考案の効果】
【０００６】
以上述べた様に、本考案における収納ケースは、任意時間にたばこを吸えるよう構成することにより精神的ストレスを軽減できる。また、自己管理の努力結果に基づき種々のコメントを表示し節煙または禁煙を助成できる。さらに、樹脂部材の一体射出成型により部品点数を少なくし収納ケースのコスト低減を図れる。
【考案を実施するための最良の形態】
【０００７】
図１は本考案の一実施例における収納ケースの要部正面図、図２は図１において第一の蓋体と第二の蓋体とを開けた状態の要部正面図、図３は図２の要部側面図、図４は本考案の一実施例における収納ケースのシステム制御のブロック構成図、図５は本考案の一実施例における収納ケースのシステム制御回路図、図６は本考案の一実施例における収納ケースの表示画面の例示図である。
【０００８】
図１に示す収納ケース１００は、断面コの字形の一端側開口を側壁２で閉蓋した本体部１と、前記側壁２にヒンジ部６を介して連結し前記断面コの字形の主開口部２０を閉蓋する第一の蓋体３と、前記本体部１の他端側にヒンジ部５を介して連結し前記断面コの字形の他端側の開口３０を閉蓋する第二の蓋体４とから成り、前記本体部１と第一の蓋体３と第二の蓋体４とを樹脂部材たとえばＰＰ(ポリプロピレン)で連繋するごとく一体に射出成型してなる。
前記第一の蓋体３は裏面側(収納ケース内面側)に液晶ディスプレイ７と制御回路基板８とをねじ締結等の手段により取り付けてなる。液晶ディスプレイ７は第一の蓋体３に設けた開口４０に嵌め込まれ第一の蓋体３の表面側より表示文を視認できる。
【０００９】
さらに、第一の蓋体３は表面側より押下可能にファンクションモード切替キースイッチ９、ステップアップキースイッチ１０、ステップダウンキースイッチ１１の３つのキースイッチを液晶ディスプレイ７の近傍上部位置に備えている。
制御回路基板８には図５のシステム制御回路図に示す制御回路部品たとえば半導体部品(ＣＰＵ)、抵抗、コンデンサ等が所望に搭載され半田付けされている。
制御回路駆動電源として単３電池が２本直列に本体部１の底部に配設されている。(図示せず)
さらに、収納ケース１００は複数個の表示ランプと第二の蓋体４の開閉を検出するリミットスイッチとアラームブザー等を所定に備えている。(図示せず)
さらに、第二の蓋体４の頂部内面側に口元や顔の一部を映す鏡を取り付けている。(図３)
図４に示すシステム制御部はキースイッチ部６０、ＣＰＵ(中央演算処理装置)７０、表示部８０の三つの主要部から構成するのが好ましい。
【００１０】
収納ケース１００の使用手順と動作について、たばこを節煙または禁煙する例により説明する。まず、本体部１の底部に電池をセットした後、第一の蓋体３を本体部１に弾接嵌合させ主開口部２０を閉蓋する。次に、例えば２０本入りたばこケースを開口３０より装填する。たばこケースはたばこを取り出し可能に開封されている。その後、第二の蓋体４で開口３０を閉蓋する。
たばこを収納し終えた後、前記ファンクションモード切替キースイッチ９、ステップアップキースイッチ１０、ステップダウンキースイッチ１１の３つのキースイッチを適宜操作し、管理する時間範囲たとえば半日または一日等の時間、及び喫煙予定本数をセットする。
セットし終えた後は収納ケース１００使用者が自己管理目標に向けて節煙または禁煙を実行する。
【００１１】
第二の蓋体４は任意に開けられ、任意にたばこを取り出して喫煙できる。ただし、第二の蓋体４を一回開閉する毎にたばこを１本吸ったものとしてリミットスイッチ等により自動的にカウントされる。第二の蓋体４の開閉の都度、喫煙予定本数と喫煙実際本数との差値が計算される。蓋体４の開閉は喫煙者が手で行う。
設定した時間内において、設定した喫煙予定本数を上回って第二の蓋体４を開閉した場合(たばこを取り出したとみなされる)、喫煙実際本数との差値に応じて内容の異なる警告文が都度、液晶ディスプレイ７に表示される。警告音(アラーム)も発せられる。
勿論、設定時間経過後、喫煙予定本数を下回っていた場合は差値に応じて賞賛のコメント等が表示される。図６に表示の一例を示す。
【００１２】
なお、本考案の実施例における収納ケースは、たばこを収納し節煙または禁煙を補助することの他に、節酒または禁酒などの助成にも応用できる。また、タイマー機能と表示ランプ、警報音等を用いて薬飲時間の設定(薬を収納ケース内に収納しておく)、食品保管(収納ケースに入れた食品の賞味期限などを管理する)等にも応用できる。
【００１３】
さらに図７のもう一つの実施例に示すように、第一の蓋体３に液晶ディスプレイを配設することに代え、少年を表す図柄の周囲に略円弧状に１０個のＬＥＤ（発光ダイオード）２０７を配設し、図柄の眼の位置に２個のＬＥＤ（発光ダイオード）２０８を配設する構成としてもよい。
ＬＥＤの表示内容は例えば、たばこを吸いたくなったら確認スイッチ２０１を押す。少年図柄の眼（ＬＥＤ２０８）が赤色の点滅では、もう少し我慢しましょう。緑色に点滅すれば我慢しなくもよい。
周囲の１０個のＬＥＤ２０７はたばこを吸った本数を順次示す。左一番下は２本を意味し、時計回りの方向に本数増加を表し、右一番下は２０本吸ったことを表示する。スイッチ２０２は新しいたばこと入れ替えたり、喫煙を我慢する時間を設定したりするのに用いられる。
【図面の簡単な説明】
【００１４】
【図１】本考案の一実施例における収納ケースの要部正面図
【図２】図１において第一の蓋体と第二の蓋体とを開けた状態の要部正面図
【図３】図２の要部側面図
【図４】本考案の一実施例における収納ケースのシステム制御のブロック構成図
【図５】本考案の一実施例における収納ケースのシステム制御回路図
【図６】本考案の一実施例における収納ケースの表示画面の例示図
【図７】本考案の一実施例における収納ケースの表示画面の例示図
【符号の説明】
【００１５】
１  本体部
２  側壁
３  第一の蓋体
４  第二の蓋体
５、６  ヒンジ部
７  液晶ディスプレイ
８  制御回路基板
９  ファンクションモード切替キースイッチ
１０  ステップアップキースイッチ
１１  ステップダウンキースイッチ
２０  主開口部
３０、４０  開口
５０  鏡
６０  キースイッチ部
７０  ＣＰＵ(中央演算処理装置)
８０  表示部
１００  収納ケース
２０１、２０２  スイッチ
２０７、２０８  ＬＥＤ（発光ダイオード）
【図１】
0003106310.tif 000003
【図２】
0003106310.tif 000004
【図３】
0003106310.tif 000005
【図４】
0003106310.tif 000006
【図５】
0003106310.tif 000007
【図６】
0003106310.tif 000008
【図７】
0003106310.tif 000009